(57)【要約】【課題】見栄えのよい仕上がり外観の壁面を容易に構築できるようにする。【解決手段】サンドイッチパネル１０は、前面側の第１の金属板１１と裏側の第２の金属板１２との間に断熱材１３を介在させたものである。金属板１１，１２としては鋼板が好適である。断熱材１３としては厚さ１５〜１００ｍｍ程度の合成樹脂発泡体が好適である。第１の金属板１１の厚さは０．１〜０．４ｍｍであり、特に０．２〜０．３５ｍｍ程度例えば約０．２７ｍｍが好適である。第２の金属板１２の厚さは第１の金属板１１よりも大であり、具体的には０．３５〜１．５ｍｍ特に０．４〜１．０ｍｍ例えば約０．５ｍｍ程度が好ましい。【選択図】図３
2007092317.tif 000002
【特許請求の範囲】
【請求項１】
第１及び第２の金属板の間に断熱材が介在されてなるサンドイッチパネルにおいて、
第１の金属板の厚さが０．１〜０．４ｍｍであり、第２の金属板の厚さがそれよりも大きいことを特徴とするサンドイッチパネル。
【請求項２】
請求項１において、該第２の金属板の厚さが０．３５〜１．５ｍｍであることを特徴とするサンドイッチパネル。
【請求項３】
請求項１又は２において、該金属板は鋼板であることを特徴とするサンドイッチパネル。
【請求項４】
頭部を有したビス又は釘よりなる留付具によってサンドイッチパネルが躯体に留め付けられている建築壁体において、
該サンドイッチパネルは、請求項１ないし３のいずれか１項に記載のサンドイッチパネルであり、前記第１の金属板を前面側としており、
該留付具の頭部が該サンドイッチパネルにめり込み、頭部の先端面が第１の金属板の前面から非突出となっていることを特徴とする建築壁体。
【発明の詳細な説明】
【技術分野】
【０００１】
本発明は、１対の金属板間に断熱材を介在させたサンドイッチパネルと、このサンドイッチパネルを躯体に留め付けた建築壁体に関するものである。
【背景技術】
【０００２】
１対の金属板同士の間に断熱材を介在させてなるサンドイッチパネルを用いて壁を構築したり改修することが行われている。
【０００３】
特開平１１−１５９０３２号公報には、金属箔、発泡断熱材及び金属板をサンドイッチ状に積層してなるパネルを釘打ちにより躯体に留め付けることが記載されている。
【特許文献１】特開平１１−１５９０３２号公報
【発明の開示】
【発明が解決しようとする課題】
【０００４】
サンドイッチパネルをビスや釘によって躯体に留め付け、この上に塗装やタイル張り等の仕上げを施す場合、ビスや釘の頭部がサンドイッチパネルから出っ張っていると、塗装仕上げ後、頭部の分だけ塗膜が盛り上ってしまい、見栄えが悪くなる。また、タイル張り用の接着剤の塗布時にコテ等が頭部に当って作業性が悪くなる。
【０００５】
頭部が出っ張らないようにビスや釘を深く打ち込むようにした場合、従来のサンドイッチパネルでは頭部周囲の金属板が凹反りし、やはり仕上げ後の見栄えが悪くなる。
【０００６】
本発明は、このような問題点を解決し、見栄えのよい仕上がり外観の壁面を容易に構築できるようにすることを目的とする。
【課題を解決するための手段】
【０００７】
請求項１のサンドイッチパネルは、第１及び第２の金属板の間に断熱材が介在されてなるサンドイッチパネルにおいて、第１の金属板の厚さが０．１〜０．４ｍｍであり、第２の金属板の厚さがそれよりも大きいことを特徴とするものである。
【０００８】
請求項２のサンドイッチパネルは、請求項１において、該第２の金属板の厚さが０．３５〜１．５ｍｍであることを特徴とするものである。
【０００９】
請求項３のサンドイッチパネルは、請求項１又は２において、該金属板は鋼板であることを特徴とするものである。
【００１０】
請求項４の建築壁体は、頭部を有したビス又は釘よりなる留付具によってサンドイッチパネルが躯体に留め付けられている建築壁体において、該サンドイッチパネルは、請求項１ないし３のいずれか１項に記載のサンドイッチパネルであり、前記第１の金属板を前面側としており、該留付具の頭部が該サンドイッチパネルにめり込み、頭部の先端面が第１の金属板の前面から非突出となっていることを特徴とするものである。
【発明の効果】
【００１１】
本発明のサンドイッチパネル及び建築壁体にあっては、サンドイッチパネルの第１の金属板の厚さが適切であるため、留付具を打ち込んだ場合に留付具の頭部のみが第１の金属板にめり込み、頭部の先端面を第１の金属板から非突出、即ち、面一か又はそれよりも引込んだ状態とすることができ、また第１の金属板の凹反りも生じない。このため、塗装仕上げした場合には見栄えが良好になる。また、タイル張り施工時に接着剤塗布用のコテが留付具の頭部に引掛かることがなく、塗布作業を容易に行うことができる。また、柱と当接する第２の金属板の厚さが大きいため、サンドイッチパネルを施工したときの耐面内剪断性が向上するという効果もある。
【発明を実施するための最良の形態】
【００１２】
以下、図面を参照して実施の形態について説明する。第１図は実施の形態に係るサンドイッチパネルの全体縦断面図、第２図は第１図の一部の拡大図、第３図はサンドイッチパネルの取り付け状態を示す水平断面図、第４図及び第５図は比較例に係るサンドイッチパネルの取り付け状態を示す水平断面図である。
【００１３】
第１図〜第２図の通り、このサンドイッチパネル１０は、前面側の第１の金属板１１と裏側の第２の金属板１２との間に断熱材１３を介在させたものである。金属板１１，１２としては鋼板が好適である。断熱材１３としては厚さＤが１５〜１００ｍｍ程度の発泡ウレタン、発泡スチレン等の合成樹脂発泡体が好適であるが、これに限定されるものではない。
【００１４】
このサンドイッチパネル１０の上端側には、厚みを小さくするようにして雄実１０ａが形成されている。また、サンドイッチパネル１０の下端面には、厚み方向の中央部分から上方に凹陥する雌実１０ｂが形成され、この雌実１０ｂの奥部（天井面）にゴム等よりなるパッキン１０ｃが接着等により固着されている。下段側に配設されたサンドイッチパネル１０の雄実１０ａと、上段側に配設されたサンドイッチパネル１０の雌実１０ｂとが係合するようにしてこのサンドイッチパネル１０が壁に設置される。なお、雄実、雌実の形状は図示以外であってもよい。
【００１５】
施工時に前面側とされる第１の金属板１１の厚さは０．１〜０．４ｍｍであり、特に０．２〜０．３５ｍｍ程度例えば約０．２７ｍｍが好適である。第２の金属板１２の厚さは第１の金属板１１の厚さよりも大きく、具体的には０．３５〜１．５ｍｍ特に０．４〜１．０ｍｍ例えば約０．５ｍｍ程度が好ましい。
【００１６】
第２の金属板１２は、第１の金属板１１よりも０．０８〜１．１ｍｍ特に０．１５〜０．３ｍｍ厚いことが好ましい。また、第１の金属板と第２の金属板を識別するため、一方の表面のみ塗装する、異なった色の塗装をするなどを行うことが望ましい。
【００１７】
このサンドイッチパネル１０を第３図のように柱３０にビス２０によって留め付けると、ビス２０の頭部が第１の金属板１１にめり込み、その先端面が第１の金属板１１から非突出となる。
【００１８】
この第１の金属板１１は厚さが０．１ｍｍ以上であるため、剛性が高く、ビス留めしてもビス周囲が殆ど凹反りしない。なお、ビス２０を強く締め込んでいくと、ビス２０の頭部が第１の金属板１１の面よりも奥に引込んでいくので、ねじ込み完了をすぐに知ることができる。
【００１９】
第２の金属板１２は、第１の金属板１１よりも厚いため、ビス留めによって柱３０に押し付けられても変形しない。このため、サンドイッチパネル１０の全体の厚さ（ｔ１＋Ｄ＋ｔ２）は、サンドイッチパネル１０の全領域で均等となる。この結果、隣り合うサンドイッチパネル１０の面出入りが均一に揃ったものとなる。従って、仕上げ処理した場合、サンドイッチパネル同士の継目（板間継目）が目立たず、見栄えが良いものとなる。
【００２０】
第１の金属板１１の前面は、全体として平坦であり、塗装仕上げした場合にビス頭部が出張らず、見栄えが良好である。
【００２１】
また、タイル張り仕上げする場合、タイル用接着剤を塗布するためのコテがビス頭部に引掛かることがなく、作業を行い易い。なお、板間の段差がないため、板間に跨がってタイル張りする場合でもタイルをしっかりと張ることができ、張り上りも良好となる。
【００２２】
なお、第１の金属板１１の厚さが０．４ｍｍ以下であるため、第１の金属板１１よりも大きい厚さの第２の金属板１２を含めたサンドイッチパネルの重量が過大となることがない。
【００２３】
第４，５図を参照して比較例とその短所について説明する。
【００２４】
第４図は、第１の金属板１１Ａと第２の金属板１２Ａとの厚さｔ１，ｔ２を等しくした第１比較例に係るサンドイッチパネル１０Ａの施工状態を示す水平断面図である。
【００２５】
この比較例では、第１及び第２の金属板１１Ａ，１２Ａが同厚さであり、剛性が同じである。このため、ビス２０をねじ込んでいくと、第２の金属板１２Ａが柱３０に押し付けられて柱３０との当接部付近が凹反りすると共に、第１の金属板１１Ａもビス頭部に押されてビス２０の周囲が凹反りする。このように、第１の金属板１１Ａが凹反りするため、見栄えが悪くなる。また、ビス２０の締め加減によってサンドイッチパネル１０Ａの前面の出入りが変わるため、隣接するサンドイッチパネル１０Ａ同士の継目（板間）に段差が生じ易くなる。
【００２６】
第５図は、第１の金属板１１Ｂの厚さｔ１よりも第２の金属板１２Ｂの厚さｔ２を小としたサンドイッチパネル１０Ｂの施工状態を示す水平断面図である。
【００２７】
この第２比較例では、ビス２０を締め込んでいくと、厚さが小さく剛性の小さい第２の金属板１２Ｂに柱３０がめり込む。このため、サンドイッチパネル１０Ｂの面出入りがビス２０の締め加減によって変わるようになり、板間に段差が生じ易くなる。
【００２８】
このように、ｔ１＝ｔ２とした第１比較例及びｔ１＞ｔ２とした第２比較例のいずれによっても見栄えが悪いものとなる。
【図面の簡単な説明】
【００２９】
【図１】実施の形態に係るサンドイッチパネルの全体縦断面図である。
【図２】第１図の一部の拡大図である。
【図３】サンドイッチパネルの取り付け状態を示す水平断面図である。
【図４】比較例に係るサンドイッチパネルの取り付け状態を示す水平断面図である。
【図５】比較例に係るサンドイッチパネルの取り付け状態を示す水平断面図である。
【符号の説明】
【００３０】
１０，１０Ａ，１０Ａ  サンドイッチパネル
１１，１１Ａ，１１Ｂ  第１の金属板
１２，１２Ａ，１２Ｂ  第２の金属板
２０  ビス
【図１】
2007092317.tif 000003
【図２】
2007092317.tif 000004
【図３】
2007092317.tif 000005
【図４】
2007092317.tif 000006
【図５】
2007092317.tif 000007